(57)【要約】  本願に開示される洗濯ビーズ成形型は、互いに離間した第１キャビティと第２キャビティを含み、異なるキャビティに洗剤や洗浄助剤を充填することによって異なる洗濯ニーズを満足することができる。第１キャビティは、一定の角度をなして対向する両側壁を有することで、ビーズ製品の外形が所定の形状になることを保証できる。当該型は、少なくとも２つのキャビティを有する洗濯ビーズの成形に用いられ、多機能の洗濯ビーズを取得することができ、構造が簡単であり、ビーズの成形収率が高い。さらに、上記型で成形されて複数のビーズ部を含む洗濯ビーズを開示し、洗濯工程を簡単化する。さらに洗濯ビーズの成形方法を開示する。【選択図】図１
2021514332.tif 000002
【特許請求の範囲】
【請求項１】
互いに離間した第１キャビティと第２キャビティを含む、
洗濯ビーズ成形型。
【請求項２】
前記第２キャビティは、少なくとも局所的に前記第１キャビティに囲まれるように設けられる、
請求項１に記載の洗濯ビーズ成形型。
【請求項３】
第１キャビティは、内縁が滑らかな
【数１】
2021514332.tif 000013
であり、前記第２キャビティは、前記
【数２】
2021514332.tif 000014
の開口の内部に設けられる、
請求項１または２に記載の洗濯ビーズ成形型。
【請求項４】
前記第１キャビティは、内縁の断面が円弧状であり、前記第２キャビティは、断面形状が円形であり、前記第２キャビティは、前記第１キャビティの内縁で形成される空間内に整合して設けられている、
請求項１〜３のいずれか１項に記載の洗濯ビーズ成形型。
【請求項５】
前記第１キャビティは、第１側壁と、前記第１側壁の両側に設けられた第２側壁及び第３側壁とを含み、さらに、前記第２側壁及び第３側壁に同時に接続されて密封室を形成する第４側壁を含む、
請求項１〜４のいずれか１項に記載の洗濯ビーズ成形型。
【請求項６】
前記第４側壁は、前記第２キャビティの外周に整合する円弧部分を有する、
請求項１〜５のいずれか１項に記載の洗濯ビーズ成形型。
【請求項７】
前記第２側壁と前記第３側壁とは、０．５〜３０度の角度をなす、
請求項５または６に記載の洗濯ビーズ成形型。
【請求項８】
前記第１キャビティおよび／または前記第２キャビティは、離間して設けられた少なくとも２つのキャビティ部からなる、
請求項１〜７のいずれか１項に記載の洗濯ビーズ成形型。
【請求項９】
請求項１〜８のいずれか１項に記載の型で成形され、複数のビーズ部を含む、
洗濯ビーズ。
【請求項１０】
請求項１〜８のいずれか１項に記載の型で成形する洗濯ビーズ成形方法において、
１）ＰＶＡ水溶性フィルムを、上記型に引っ張り、型の吸収作用で第１キャビティと第２キャビティで可塑化させ、
２）洗剤、殺菌剤、生物剤、柔軟剤、美白剤および皮膚保護剤のうちの少なくとも１つを第１キャビティに添加し、
３）洗剤、殺菌剤、生物剤、柔軟剤、美白剤および皮膚保護剤のうちの少なくとも１つを第２キャビティに添加し、
４）別のＰＶＡ水溶性フィルムを上記型に引っ張り、２枚のＰＶＡ水溶性フィルムを加圧ローラの作用で圧着または粘着させることによって、少なくとも２つのキャビティを有する洗濯ビーズを得る、
ことを含む洗濯ビーズ成形方法。
【発明の詳細な説明】
【技術分野】
【０００１】
（関連出願の相互参照）
本願は、出願番号２０１９１００４９４１５．０（出願日：２０１９年１月１８日）および出願番号２０１９１０１５６３８５．３（出願日：２０１９年３月１日）の中国特許出願を基礎としてその優先権を主張し、これらの出願のすべての内容は、全体的に本願に取り込まれる。
【０００２】
（技術分野）
本願は、日用化学品の技術分野に係り、具体的に洗濯ビーズ成形型、鈍角から直角にされた洗濯ビーズおよび洗濯ビーズ成形方法に係る。
【背景技術】
【０００３】
洗濯ビーズは、ここ２年間で出現した革新的な洗浄製品であり、ビーズに似た外形から、洗濯ビーズと呼ばれ、製品の肌触りが柔らかく、形状もかわいく、洗濯市場で新しいトレンドを牽引している。洗濯ビーズは、水溶性の濃縮洗剤であり、高効率の洗浄力を持つ。洗濯ビーズは、洗濯機専用に設計されており、取り扱いやすく、手を汚すことなく、洗浄力が高く、すすぎやすく、頑固な汚れを効果的に取り除くことができ、衣類をきれいにする。
【０００４】
従来の洗濯ビーズ製品は、通常、キャビティが１つしかなく、内部に１種の濃縮型洗剤のみが設けられるが、異なる衣類などの織物を洗浄する際に、往々に洗剤、殺菌剤、生物剤、柔軟剤、美白剤および皮膚保護剤を添加する必要がある。従来の洗濯ビーズを用いて衣類を洗浄する際に、上述した洗剤を別途添加する必要があるため、操作が面倒であり、しかも各種類の洗剤を別々に購入して保管する必要があり、スペースがかかる。また、洗濯ビーズの生産において、洗濯ビーズの被膜を真空下で可塑化する必要があるため、弾力的な被膜は、往々にゆがみが生じる。ビーズが常圧に回復すると、弾力的なゆがみによる圧力で、ビーズ製品は、所定の形状とは完全には一致しない。
【発明の概要】
【発明が解決しようとする課題】
【０００５】
本願は、上述した従来技術の一つまたは複数の不備を解決するために提案される。本願の技術手段によれば、従来の洗濯ビーズで衣類を洗浄する際に洗浄助剤を別途添加する必要があること、および／または、従来の洗濯ビーズ型で成形された製品と所定の形状とは完全には一致しないことなどの問題を解決することができる。
【課題を解決するための手段】
【０００６】
本願による洗濯ビーズ成形型は、互いに離間した第１キャビティと第２キャビティを含む。
【０００７】
さらに、前記第２キャビティは、少なくとも局所的に前記第１キャビティに囲まれるように設けられる。
【０００８】
さらに、第１キャビティは、内縁が滑らかな
【数１】
2021514332.tif 000003
であり、前記第２キャビティは、前記
【数２】
2021514332.tif 000004
の開口の内部に設けられる。
【０００９】
さらに、前記第１キャビティは、内縁の断面が円弧状であり、前記第２キャビティは、断面形状が円形であり、前記第２キャビティは、前記第１キャビティの内縁で形成される空間内に整合して設けられている。
【００１０】
さらに、前記第１キャビティは、第１側壁と、前記第１側壁の両側に設けられた第２側壁及び第３側壁とを含み、さらに、前記第２側壁及び第３側壁に同時に接続されて密封室を形成する第４側壁を含む。
【００１１】
さらに、前記第４側壁は、前記第２キャビティの外周に整合する円弧部分を有する。
【００１２】
さらに、前記第２側壁と前記第３側壁とは、０．５〜３０度の角度をなす。
【００１３】
さらに、前記第１キャビティおよび／または前記第２キャビティは、離間して設けられた少なくとも２つのキャビティ部からなる。
【００１４】
洗濯ビーズであって、上記型で成形され、複数のビーズ部を含む。
【００１５】
上記型で成形する洗濯ビーズ成形方法において、
１）ＰＶＡ水溶性フィルムを、上記型に引っ張り、型の吸収作用で第１キャビティと第２キャビティで可塑化させ、
２）洗剤、殺菌剤、生物剤、柔軟剤、美白剤および皮膚保護剤のうちの少なくとも１つを第１キャビティに添加し、
３）洗剤、殺菌剤、生物剤、柔軟剤、美白剤および皮膚保護剤のうちの少なくとも１つを第２キャビティに添加し、
４）別のＰＶＡ水溶性フィルムを上記型に引っ張り、２枚のＰＶＡ水溶性フィルムを加圧ローラの作用で圧着または粘着させることによって、少なくとも２つのキャビティを有する洗濯ビーズを得ることを含む。
【発明の効果】
【００１６】
（１）本願に記載の洗濯ビーズ成形型は、互いに離間した第１キャビティと第２キャビティを含む。前記型は、少なくとも２つのキャビティを有する洗濯ビーズの成形に用いられる。２つのキャビティにそれぞれ洗剤（特に濃縮洗剤）、殺菌剤、生物剤、柔軟剤、美白剤および皮膚保護剤のうちの少なくとも１つを充填することによって、多機能の洗濯ビーズを得る。当該型は、構造が簡単であり、洗濯ビーズの成形収率が高い。
（２）本願に記載の洗濯ビーズ成形型において、前記第１キャビティは、内縁の断面が円弧状であり、前記第２キャビティは、断面形状が円形であり、前記第２キャビティは、前記第１キャビティの内縁で形成される空間内に設けられてデュアルキャビティ構造に形成される。または、前記第２キャビティは、少なくとも２つのキャビティ部からなり、３キャビティまたはマルチキャビティ構造に形成される。その形状は、規則的であり、保管されやすく、外形が美しく、多種類の洗浄助剤や洗剤の充填が可能であり、用途と機能が広範に及ぶ。
（３）本願に記載の洗濯ビーズ成形型において、前記第１キャビティは、第１側壁と、第１側壁の両側に設けられた第２側壁及び第３側壁と、前記第２側壁及び第３側壁に接続された第４側壁を含む。第２側壁と前記第３側壁とは、たとえば０．５〜３０度の一定の角度をなす。真空ではなくなると洗濯ビーズ製品が弾力的ゆがみによって変形してしまい外観が保証されにくいという問題を解決することができる。型の相対する２つの側壁を一定の角度をなすように設定することによって、第１キャビティ内に真空下で成形したビーズは、常圧で弾力が回復し、所定の外形（たとえば矩形の外形）の構造が保証される。
（４）本願に記載の洗濯ビーズは、それぞれ洗剤、殺菌剤、生物剤、柔軟剤、美白剤および皮膚保護剤のうちの少なくとも１つが充填される複数のビーズ部を含み、洗濯プロセスを簡単化する。また、当該洗濯ビーズは、矩形の構造であり、互いに垂直になるビーズ側壁を有するために、外形の一致性がよく、意匠性が高い。
【図面の簡単な説明】
【００１７】
【図１】本願による洗濯ビーズ成形型の構造図である。
【図２】本願による洗濯ビーズ成形型の断面図である。
【図３】本願による別の洗濯ビーズ成形型の構造図である。
【図４】本願による別の洗濯ビーズ成形型の断面図である。
【図５】本願による洗濯ビーズ成形型で作製される洗濯ビーズの断面図である。
【図６】本願による洗濯ビーズ成形型で作製される別の洗濯ビーズの断面図である。
【発明を実施するための形態】
【００１８】
本願の内容をより明確に理解するために、以下、本願の具体的な実施例および添付図面を通じて本願をさらに詳細に説明する。
【００１９】
本願は、多種類の異なる形態で実施され、ここに記載した実施例に限定されると理解されるべきではない。これらの実施例は、本開示を全面的で完全なものにして本願の思想を当業者に十分に伝えるために提供されるが、本願は、特許請求の範囲によって限定される。添付図面において、明確化を図るため、各装置のサイズや相対的なサイズを誇張することがある。本願の明細書や特許請求の範囲および図面における「第１」、「第２」などの用語は、類似対象を区別するために用いられ、特定の順番や前後順の記載に用いられない。このように使用される用語は、適切な場合において互換可能であると理解されるべきである。また、「含む」や「有する」およびそれらのあらゆる変形は、それらの意図が非排他的に含むことをカバーすることにある。
【００２０】
図１及び図２に示すように、本願による洗濯ビーズ成形型は、ＰＶＡなどの材質の水溶性フィルムや洗濯液から洗濯ビーズへのプラスチックパッケージに用いられる。前記型は、真空吸引系に接続されている。前記洗濯ビーズ成形型は、互いに離間した第１キャビティ１と第２キャビティ２を含む。離間したキャビティを設置することによって、異なるキャビティにそれぞれ洗剤（特に濃縮洗剤）、洗剤、殺菌剤、生物剤、柔軟剤、美白剤または皮膚保護剤を選択的に充填することができ、多機能の洗濯ビーズを得る。当該型は、構造が簡単であり、成形された洗濯ビーズの収率が高い。
【００２１】
前記第１キャビティ１と第２キャビティ２は、それぞれ、洗剤、殺菌剤、生物剤、柔軟剤、美白剤および皮膚保護剤のうちの少なくとも１つを収納することに用いられることが好ましい。
【００２２】
前記第２キャビティ２は、少なくとも局所的に前記第１キャビティ１に囲まれるように設けられることが好ましく、作製された洗濯ビーズの構造がコンパクトになる。
【００２３】
第１キャビティ１は、内縁が滑らかな
【数３】
2021514332.tif 000005
であり、前記第２キャビティ２は、前記
【数４】
2021514332.tif 000006
の開口の内部に設けられることが好ましい。
【００２４】
前記第１キャビティ１は、内縁の断面が円弧状であり、前記第２キャビティ２は、断面形状が円形であり、前記第２キャビティ２は、前記第１キャビティ１の内縁で形成される空間内に整合して設けられていることが好ましい。形成された洗濯ビーズの形を美しくするために、前記第１キャビティ１の円弧状の内縁と前記第２キャビティ２は、同心に設けられる。もちろん、変形可能な実施形態として、前記第２キャビティ２は、断面形状が方形、三角形などの他の形状であってもよい。前記第１キャビティ１は、第１側壁１１と、前記第１側壁１１の両側に設けられた第２側壁１２及び第３側壁１３を含み、さらに、前記第２側壁１２及び第３側壁１３に同時に接続されて密封室を形成する第４側壁１４を含むことが好ましい。前記第４側壁１４は、前記第２キャビティ２の外周に整合する円弧部分を有する。前記第２側壁１２、第３側壁１３は、滑らかな円弧形状の側壁によって前記第１側壁１１に接続される。
【００２５】
矩形外形で一致性がよく表面が平らである洗濯ビーズを得るために、さらに、前記第２側壁１２と前記第３側壁１３とは、０．５〜３０度の角度をなし、９度であることが好ましい。ＰＶＡ水溶性フィルムが一定の弾力を有するため、真空でのプラスチックパッケージ後、弾力的ゆがみが回復し、洗濯ビーズの外形と所定形状との一致性を保持しにくい。キャビティの断面形状が矩形であると、成形後のビーズの両側壁が鈍角になる。キャビティの相対する両側壁を一定の角度に設定し、異なる真空度などのパラメータごとに角度の値を選択することによって、成形後の洗濯ビーズの断面形状の底部が完全に閉じた矩形であり、互いに略垂直になる四辺を有することが保証される。上記洗濯ビーズ成形型によれば、生産された製品の外形の角度を保証することができる。
【００２６】
前記第２キャビティ２は、円形であり、その径と前記第１キャビティ１の短辺（すなわち第２側壁１２及び第３側壁１３）の長さとの比例が１／１０〜９／１０であることが好ましい。
【００２７】
前記第２キャビティ２の円心は、第２側壁１２及び第３側壁１３の長手方向の中間位置に位置することが好ましい。
【００２８】
異なる洗濯応用シーンを満足するには、異なる規格の洗濯ビーズを成形して製造し、前記型のパラメータが異なる。前記第２キャビティ２の径が２２ｍｍであり、第１キャビティ１の長手方向の短い側（図面では上部）の長さが５７．８ｍｍであり、長い側（図面では底部）の長さが６２．２ｍｍであり、幅が４３．４ｍｍであり、円弧状側壁の半径が８ｍｍであることが好ましい。前記第１キャビティ１、第２キャビティ２の深さが０．１〜３０ｍｍであり、７．８ｍｍであることが好ましく、作製された洗濯ビーズの質量が２２ｇである。
【００２９】
前記第２キャビティ２の径が３４．１ｍｍであり、第１キャビティ１の上部の長さが８９．６ｍｍであり、底部の長さが９６．４ｍｍであり、幅が６７．３ｍｍであり、円弧状側壁の半径が１２．４ｍｍであることが好ましい。前記第１キャビティ１及び第２キャビティ２の深さが０．１〜３０ｍｍであり、１２．２ｍｍであることが好ましく、作製された洗濯ビーズの質量が１００ｇである。
【００３０】
前記第２キャビティ２の径が１４．３ｍｍであり、第１キャビティ１の上部の長さが３７．６ｍｍであり、底部の長さが４０．４ｍｍであり、幅が２８．２ｍｍであり、円弧状側壁の半径が５．２ｍｍであることが好ましい。前記第１キャビティ１及び第２キャビティ２の深さが０．１〜３０ｍｍであり、５．１ｍｍであることが好ましく、作製された洗濯ビーズの質量が５ｇである。
【００３１】
洗濯ビーズの成形方法をさらに提供する。以下のステップを含む。１）ＰＶＡ水溶性フィルムを、上記型に引っ張り、型の吸収作用で第１キャビティ１と第２キャビティ２で可塑化させる。２）洗剤、殺菌剤、生物剤、柔軟剤、美白剤および皮膚保護剤のうちの少なくとも１つを第１キャビティ１に添加する。３）洗剤、殺菌剤、生物剤、柔軟剤、美白剤および皮膚保護剤のうちの少なくとも１つを第２キャビティ２に添加する。４）別のＰＶＡ水溶性フィルムを上記型に引っ張り、２枚のＰＶＡ水溶性フィルムを加圧ローラの作用で圧着または粘着させることによって、少なくとも２つのキャビティを有する洗濯ビーズを得る。
【００３２】
図３及び図４に示すように、本願による別の洗濯ビーズ成形型も、互いに離間した第１キャビティ１と第２キャビティ２を含む。前記第１キャビティ１は、内縁が滑らかな
【数５】
2021514332.tif 000007
であり、前記第２キャビティ２は、前記
【数６】
2021514332.tif 000008
の開口の内部に設けられる。前記第１キャビティ１は、内縁の断面が円弧状である。相違点として、本実施例の前記第２キャビティ２は、互いに離間した２つのキャビティ部からなる。２つの前記キャビティ部の断面形状が八卦状であり、キャビティ部の外周が開口を有する円形に形成されることが好ましい。２つのキャビティ部の外周の径と前記第１キャビティ１の短辺（すなわち第２側壁１２及び第３側壁１３）の長さとの比例は、１／１０〜９／１０であり、１／２であることが好ましい。もちろん、前記第２キャビティは、ほかの形状のキャビティ部からなってもよく、キャビティ部の数も２つに限定されない。よって、マルチキャビティ構造の成形型になり、最終的にマルチキャビティの洗濯ビーズを作製し、多種類の洗剤または洗浄助剤の充填が可能である。前記第１キャビティ１についても、互いに離間した少なくとも２つのキャビティ部からなってもよいと、当業者が理解可能である。このように、第１キャビティ１にも多種類の洗剤または洗浄助剤を充填し、様々な洗浄ニーズを満たすことができる。
【００３３】
図５及び図６は、本願による洗濯ビーズ成形型で成形された異なる洗濯ビーズを示す。図５に示すように、洗濯ビーズは、互いに接続されるが連通しない第１ビーズ部３と第２ビーズ部４を含み、前記第２ビーズ部４は、少なくとも局所的に第１ビーズ部３に囲まれるように設けられる。前記第１ビーズ部３は、内縁が滑らかな
【数７】
2021514332.tif 000009
であり、第２ビーズ部４は、前記
【数８】
2021514332.tif 000010
の中間の開口部に設けられる。第２ビーズ部４は、球形である。第１ビーズ部３は、外周が矩形であり内周が円弧状である構造である。第１ビーズ部３に洗剤が充填され、特に濃縮洗剤が充填される。第２ビーズ部４には、洗剤、殺菌剤、生物剤、柔軟剤、美白剤および皮膚保護剤のうちの少なくとも１つを充填することができ、美白剤が好ましい。濃縮洗剤は、ほかの洗浄助剤とは色が異なってもよいが、ビーズの外部の水溶性ＰＶＡフィルムが透明フィルムであるため、２色ビーズの技術的効果を奏し、外観がより美しくなる。前記第２ビーズ部４の引張力が１〜１００Ｎであり、洗濯ビーズの全体的な重さが１〜１００ｇであり、２２ｇであることが好ましい。前記成形型による成形加工で、洗濯ビーズの外形は、高度の一致性が保証され、キャビティから取り出されて常圧に回復すると、外形が略矩形になる。図６に示すように、別の洗濯ビーズは、互いに接続されるが連通しない第１ビーズ部３と第２ビーズ部４を含む。前記第１ビーズ部３は、外周が矩形であり内周が円弧状である構造である。前記第１ビーズ部３に洗剤が充填され、特に濃縮洗剤が充填される。前記第２ビーズ部４は、２つの第２ビーズ部ユニットからなる。２つのビーズ部ユニットは、互いに接続されるが連通せず、略八卦状に形成される。第２ビーズ部ユニットには、洗剤、殺菌剤、生物剤、柔軟剤、美白剤および皮膚保護剤のうちの少なくとも１つを充填することができ、２つのビーズ部ユニットにそれぞれ殺菌剤、柔軟剤が充填されることが好ましい。また、ビーズ製品の意匠性を高めるために、１つの第１ビーズ部３、２つの第２ビーズ部ユニットに充填される洗剤の色が異なってもよく、３色ビーズの効果を奏する。
【００３４】
明らかに、以上の実施例は、明確に説明するために記載された例に過ぎず、実施形態に対する限定ではない。当業者にとって、上記説明を基に、さらにほかの異なる形態の変化や変更を行うことができる。ここではすべての実施形態を枚挙する必要もなく、枚挙することもできないが、それらから拡張された明らかな変化や変更は、いずれも本発明の保護範囲に含まれる。
【００３５】
（付記）
（付記１）
互いに離間した第１キャビティと第２キャビティを含む、
洗濯ビーズ成形型。
【００３６】
（付記２）
前記第２キャビティは、少なくとも局所的に前記第１キャビティに囲まれるように設けられる、
付記１に記載の洗濯ビーズ成形型。
【００３７】
（付記３）
第１キャビティは、内縁が滑らかな
【数９】
2021514332.tif 000011
であり、前記第２キャビティは、前記
【数１０】
2021514332.tif 000012
の開口の内部に設けられる、
付記１または２に記載の洗濯ビーズ成形型。
【００３８】
（付記４）
前記第１キャビティは、内縁の断面が円弧状であり、前記第２キャビティは、断面形状が円形であり、前記第２キャビティは、前記第１キャビティの内縁で形成される空間内に整合して設けられている、
付記１〜３のいずれか１つに記載の洗濯ビーズ成形型。
【００３９】
（付記５）
前記第１キャビティは、第１側壁と、前記第１側壁の両側に設けられた第２側壁及び第３側壁とを含み、さらに、前記第２側壁及び第３側壁に同時に接続されて密封室を形成する第４側壁を含む、
付記１〜４のいずれか１つに記載の洗濯ビーズ成形型。
【００４０】
（付記６）
前記第４側壁は、前記第２キャビティの外周に整合する円弧部分を有する、
付記１〜５のいずれか１つに記載の洗濯ビーズ成形型。
【００４１】
（付記７）
前記第２側壁と前記第３側壁とは、０．５〜３０度の角度をなす、
付記５または６に記載の洗濯ビーズ成形型。
【００４２】
（付記８）
前記第１キャビティおよび／または前記第２キャビティは、離間して設けられた少なくとも２つのキャビティ部からなる、
付記１〜７のいずれか１つに記載の洗濯ビーズ成形型。
【００４３】
（付記９）
付記１〜８のいずれか１つに記載の型で成形され、複数のビーズ部を含む、
洗濯ビーズ。
【００４４】
（付記１０）
付記１〜８のいずれか１つに記載の型で成形する洗濯ビーズ成形方法において、
１）ＰＶＡ水溶性フィルムを、上記型に引っ張り、型の吸収作用で第１キャビティと第２キャビティで可塑化させ、
２）洗剤、殺菌剤、生物剤、柔軟剤、美白剤および皮膚保護剤のうちの少なくとも１つを第１キャビティに添加し、
３）洗剤、殺菌剤、生物剤、柔軟剤、美白剤および皮膚保護剤のうちの少なくとも１つを第２キャビティに添加し、
４）別のＰＶＡ水溶性フィルムを上記型に引っ張り、２枚のＰＶＡ水溶性フィルムを加圧ローラの作用で圧着または粘着させることによって、少なくとも２つのキャビティを有する洗濯ビーズを得る、
ことを含む洗濯ビーズ成形方法。
【符号の説明】
【００４５】
１  第１キャビティ
２  第２キャビティ
３  第１ビーズ部
４  第２ビーズ部
１１  第１側壁  
１２  第２側壁      
１３  第３側壁
１４  第４側壁
【図１】
2021514332.tif 000015
【図２】
2021514332.tif 000016
【図３】
2021514332.tif 000017
【図４】
2021514332.tif 000018
【図５】
2021514332.tif 000019
【図６】
2021514332.tif 000020
【国際調査報告】
2021514332.tif 000021
2021514332.tif 000022
2021514332.tif 000023
2021514332.tif 000024